【手続補正書】
【提出日】平成26年11月5日(2014.11.5)
【手続補正１】
【補正対象書類名】特許請求の範囲
【補正対象項目名】全文
【補正方法】変更
【補正の内容】
【特許請求の範囲】
【請求項１】
始点となる通信装置から終点となる通信装置までの間で、前記通信装置が制御パケットを用いて自律分散的に構築した第１通信経路に接続される複数の伝送装置と、
前記伝送装置によって構成される伝送網内において始点となる伝送装置から終点となる伝送装置までの間の第２通信経路を構築し、前記第１通信経路と前記第２通信経路との対応関係を前記第２通信経路を構成する伝送装置に設定することによって、前記通信装置間の前記第１通信経路を確立する集中制御計算機と、を備える伝送システムにおいて、
前記第１通信経路を介したデータの通信に用いる第１通信プロトコルと前記第２通信経路を介したデータの通信に用いる第２通信プロトコルとは異なるものであって、
前記集中制御計算機は、
前記第１通信プロトコルを処理可能であって、
前記伝送装置の前記通信装置に接続されるインタフェースを前記通信装置のインタフェースとして接続先の通信装置に擬似的に認識させるために、前記第１通信プロトコルにおけるインタフェースの識別情報を当該インタフェースに設定し、
前記伝送装置は、前記通信装置から折り返し点までの接続を確認するための接続確認要求を前記通信装置から受信した場合、前記受信した接続確認要求を前記集中制御計算機に送信し、
前記集中制御計算機は、
前記伝送装置から前記接続確認要求を受信した場合、前記受信した接続確認要求に基づいて前記折り返し点を特定し、
前記特定した折り返し点に応じて、前記第２通信経路の接続の確認を、当該第２通信経路を構成する伝送装置に指示し、
前記伝送装置による接続の確認結果に応じて、前記接続確認要求を送信した通信装置への前記接続確認要求に対する応答である接続確認応答を前記伝送装置に送信することを特徴とする伝送システム。
【請求項２】
前記集中制御計算機は、前記受信した接続確認要求の折り返し点が、当該接続確認要求を送信した通信装置以外の通信装置に接続された伝送装置に設定された擬似的なインタフェースであると特定した場合、前記折り返し点となる擬似的なインタフェースが設定された伝送装置によって構成される第２通信経路の接続の確認を、当該第２通信経路を構成する伝送装置に指示することを特徴とする請求項１に記載の伝送システム。
【請求項３】
前記集中制御計算機は、
前記受信した接続確認要求の折り返し点が、当該接続確認要求を送信した通信装置に対して前記第２通信経路を経由した前記第１通信経路上の通信装置であると特定した場合、前記折り返し点となる通信装置と通信するための前記第１通信経路に関連付けられた前記第２通信経路の接続の確認を、当該第２通信経路を構成する伝送装置に指示し、
当該第２通信経路の接続を確認した場合、前記受信した接続確認要求を前記第２通信経路の終点となる伝送装置に送信し、
前記第２通信経路の終点となる伝送装置は、
前記集中制御計算機から接続確認要求を受信した場合、前記受信した接続確認要求を前記折り返し点となる通信装置に送信し、
前記折り返し点となる通信装置から接続確認応答を受信した場合、前記受信した接続確認応答を前記集中制御計算機に送信し、
前記集中制御計算機は、前記接続確認応答を前記第２通信経路の終点となる伝送装置から受信した場合、前記第２通信経路の始点となる伝送装置に、前記受信した接続確認応答を送信し、
前記第２通信経路の始点となる伝送装置は、前記集中制御計算機から前記接続確認応答を受信した場合、前記接続確認要求を送信した通信装置に、前記受信した接続確認応答を送信することを特徴とする請求項１に記載の伝送システム。
【請求項４】
前記集中制御計算機は、前記受信した接続確認要求の折り返し点が、当該接続確認要求を送信した通信装置に対して前記第２通信経路を経由した前記第１通信経路上の通信装置であると特定した場合、当該第２通信経路の始点となる伝送装置に、前記受信した接続確認要求を送信し、
前記第２通信経路の始点となる伝送装置は、前記集中制御計算機から前記接続確認要求を受信した場合、前記第２通信経路を介して前記第２通信経路の終点となる伝送装置に前記受信した接続確認要求を送信し、
前記第２通信経路の終点となる伝送装置は、
前記第２通信経路の始点となる伝送装置から前記接続確認要求を受信した場合、前記折り返し点となる通信装置に前記受信した接続確認要求を送信し、
前記折り返し点となる通信装置から接続確認応答を受信した場合、前記受信した接続確認応答を前記集中制御計算機に送信し、
前記集中制御計算機は、前記接続確認応答を前記第２通信経路の終点となる伝送装置から受信した場合、前記第２通信経路の始点となる伝送装置に、前記受信した接続確認応答を送信し、
前記第２通信経路の始点となる伝送装置は、前記集中制御計算機から前記接続確認応答を受信した場合、前記接続確認要求を送信した通信装置に前記受信した接続確認応答を送信することを特徴とする請求項１に記載の伝送システム。
【請求項５】
前記集中制御計算機は、前記受信した接続確認要求の折り返し点が、前記接続確認要求を送信した通信装置に接続される伝送装置に設定された擬似的なインタフェースであると特定した場合、前記接続確認要求を受信した伝送装置に接続確認応答を送信し、
前記接続確認応答を受信した伝送装置は、前記接続確認要求を送信した通信装置に前記受信した前記接続確認応答を送信することを特徴とする請求項１に記載の伝送システム。
【請求項６】
前記集中制御計算機は、前記第２通信経路の接続の確認を指示する場合、前記第２通信経路の始点となる伝送装置と終点となる伝送装置との間の接続を前記第２通信プロトコルの接続確認機能を利用して確認することを、前記始点となる伝送装置に指示し、
前記第２通信経路の始点となる伝送装置は、前記第２通信経路の接続の確認が指示された場合、前記第２通信プロトコルの接続確認機能を利用して、前記終点となる伝送装置との間の接続を確認することを特徴とする請求項１に記載の伝送システム。
【請求項７】
前記集中制御計算機は、前記第２通信経路の接続の確認を指示する場合、前記第２通信経路の始点となる伝送装置から終点となる伝送装置までに経由する全ての伝送装置との接続を前記第２通信プロトコルの接続確認機能を利用して確認することを、前記始点となる伝送装置に指示し、
前記第２通信経路の始点となる伝送装置は、前記第２通信経路の接続の確認が指示された場合、前記第２通信プロトコルの接続確認機能を利用して、前記終点となる伝送装置までに経由する全ての伝送装置との間の接続を確認することを特徴とする請求項１に記載の伝送システム。
【請求項８】
第１通信経路に接続される複数の伝送装置によって構成される伝送網内において始点となる伝送装置から終点となる伝送装置までの間の第２通信経路を構築し、前記第１通信経路と前記第２通信経路との対応関係を前記第２通信経路を構成する伝送装置に設定することによって、通信装置間の前記第１通信経路を確立する集中制御計算機において、
前記第１通信経路は、始点となる通信装置から終点となる通信装置までの間で制御パケットを利用して前記通信装置によって自律分散的に構築され、
前記第１通信経路を介したデータの通信に用いる第１通信プロトコルと前記第２通信経路を介したデータの通信に用いる第２通信プロトコルとは異なるものであって、
前記集中制御計算機は、
前記第１通信プロトコルを処理可能であって、
前記伝送装置の前記通信装置に接続されるインタフェースを前記通信装置のインタフェースとして接続先の通信装置に擬似的に認識させるために、前記第１通信プロトコルにおけるインタフェースの識別情報を当該インタフェースに設定し、
前記通信装置から折り返し点までの接続を確認するための接続確認要求を前記伝送装置から受信した場合、前記受信した接続確認要求に基づいて前記折り返し点を特定し、
前記特定した折り返し点に応じて、前記第２通信経路の接続の確認を、当該第２通信経路を構成する伝送装置に指示し、
前記伝送装置による接続の確認結果に応じて、前記接続確認要求を送信した通信装置への前記接続確認要求に対する応答である接続確認応答を前記伝送装置に送信することを特徴とする集中制御計算機。
【請求項９】
前記受信した接続確認要求の折り返し点が、当該接続確認要求を送信した通信装置以外の通信装置に接続された伝送装置に設定された擬似的なインタフェースであると特定した場合、前記折り返し点となる擬似的なインタフェースが設定された伝送装置によって構成される第２通信経路の接続の確認を、当該第２通信経路を構成する伝送装置に指示することを特徴とする請求項８に記載の集中制御計算機。
【請求項１０】
前記受信した接続確認要求の折り返し点が、当該接続確認要求を送信した通信装置に対して前記第２通信経路を経由した前記第１通信経路上の通信装置であると特定した場合、前記折り返し点となる通信装置と通信するための前記第１通信経路に関連付けられた前記第２通信経路の接続の確認を、当該第２通信経路を構成する伝送装置に指示し、
当該第２通信経路の接続を確認した場合、前記折り返し点となる通信装置に前記受信した接続確認要求を送信すべく、前記受信した接続確認要求を前記第２通信経路の終点となる伝送装置に送信し、
前記折り返し点となる通信装置によって送信された接続確認応答を前記第２通信経路の終点となる伝送装置を介して受信した場合、前記接続確認要求を送信した通信装置に前記受信した接続確認応答を送信すべく、前記第２通信経路の始点となる伝送装置に前記受信した接続確認応答を送信することを特徴とする請求項８に記載の集中制御計算機。
【請求項１１】
前記受信した接続確認要求の折り返し点が、当該接続確認要求を送信した通信装置に対して前記第２通信経路を経由した前記第１通信経路上の通信装置であると特定した場合、当該第２通信経路を経由して前記折り返し点となる通信装置に前記接続確認要求を送信すべく、前記第２通信経路の始点となる伝送装置に前記受信した接続確認要求を送信し、
前記折り返し点となる通信装置によって送信された接続確認応答を前記第２通信経路の終点となる伝送装置を介して受信した場合、前記接続確認要求を送信した通信装置に前記受信した接続確認応答を送信すべく、前記第２通信経路の始点となる伝送装置に前記受信した接続確認応答を送信することを特徴とする請求項８に記載の集中制御計算機。
【請求項１２】
前記受信した接続確認要求の折り返し点が、前記接続確認要求を送信した通信装置に接続される伝送装置に設定された擬似的なインタフェースであると特定した場合、前記接続確認要求を送信した通信装置に接続確認応答を送信すべく、前記接続確認要求を受信した伝送装置に前記接続確認応答を送信することを特徴とする請求項８に記載の集中制御計算機。
【請求項１３】
前記第２通信経路の接続の確認を指示する場合、前記第２通信経路の始点となる伝送装置と終点となる伝送装置との間の接続を前記第２通信プロトコルの接続確認機能を利用して確認することを、前記始点となる伝送装置に指示することを特徴とする請求項８に記載の集中制御計算機。
【請求項１４】
前記第２通信経路の接続の確認を指示する場合、前記第２通信経路の始点となる伝送装置から終点となる伝送装置までに経由する全ての伝送装置との接続を前記第２通信プロトコルの接続確認機能を利用して確認することを、前記始点となる伝送装置に指示することを特徴とする請求項８に記載の集中制御計算機。
【請求項１５】
始点となる通信装置から終点となる通信装置までの間で、制御パケットを利用して自律分散的に構築された第１通信経路に接続される複数の伝送装置と、
前記伝送装置によって構成される伝送網内において始点となる伝送装置から終点となる伝送装置までの間の第２通信経路を構築し、前記第１通信経路と前記第２通信経路との対応関係を前記第２通信経路を構成する伝送装置に設定することによって、前記通信装置間の前記第１通信経路を確立する集中制御計算機と、を備える伝送システムにおけるデータの伝送方法において、
前記第１通信経路を介したデータの通信に用いる第１通信プロトコルと前記第２通信経路を介したデータの通信に用いる第２通信プロトコルとは異なるものであって、
前記集中制御計算機は、
前記第１通信プロトコルを処理可能であって、
前記伝送装置の前記通信装置に接続されるインタフェースを前記通信装置のインタフェースとして接続先の通信装置に擬似的に認識させるために、前記第１通信プロトコルにおけるインタフェースの識別情報を当該インタフェースに設定し、
前記方法は、
前記伝送装置が、前記通信装置から折り返し点までの接続を確認するための接続確認要求を前記通信装置から受信した場合、前記受信した接続確認要求を前記集中制御計算機に送信するステップと、
前記集中制御計算機が、前記伝送装置から前記接続確認要求を受信した場合、前記受信した接続確認要求に基づいて前記折り返し点を特定するステップと、
前記集中制御計算機が、前記特定した折り返し点に応じて、前記第２通信経路の接続の確認を、当該第２通信経路を構成する伝送装置に指示するステップと、
前記集中制御計算機が、前記伝送装置による接続の確認結果に応じて、前記接続確認要求を送信した通信装置への前記接続確認要求に対する応答である接続確認応答を前記伝送装置に送信するステップと、を含むことを特徴とする伝送方法。
【手続補正２】
【補正対象書類名】明細書
【補正対象項目名】００２９
【補正方法】変更
【補正の内容】
【００２９】
例えば、ユーザサイト４００Ａとユーザサイト４００Ｂとの間でデータが通信される場合、集中制御サーバ１００は、ＩＰ／ＭＰＬＳ網２０のパス２０１に対してＭＰＬＳ−ＴＰ網３０のパス３０１をマッピングし、パス２０１とパス３０１との対応関係を、パス３０１を構成するＭＰＬＳ−ＴＰ装置３００Ａ及び３００Ｂに設定する。
【手続補正３】
【補正対象書類名】明細書
【補正対象項目名】００３６
【補正方法】変更
【補正の内容】
【００３６】
ＩＰ／ＭＰＬＳ網ＩＦ３１０は、カード制御部３１８、受信回路３１１、Ｌ２受信処理部３１２、受信パケット解析振分部３１３、入力ラベル変換部３１４、ラベル情報テーブル３１５、スケジューラ３１６、ＳＷ送信回路３１７、ＳＷ受信回路３１９、送信パケット解析振分部３２０、ＭＰＬＳ−ＴＰ  ＯＡＭ処理部３２１、出力ラベル変換部３２２、Ｌ２送信処理部３２３、及び送信回路３２４を有する。
【手続補正４】
【補正対象書類名】明細書
【補正対象項目名】００６９
【補正方法】変更
【補正の内容】
【００６９】
ＭＰＬＳ−ＴＰ網パスＩＤ１５２には、ＭＰＬＳ−ＴＰ網３０のパスの識別情報が登録される。ＩＰ／ＭＰＬＳ網パスＩＤ１５３には、ＭＰＬＳ−ＴＰ網パスＩＤ１５２に登録された識別情報によって識別されるＭＰＬＳ−ＴＰ網３０のパスに対応付けられたＩＰ／ＭＰＬＳ網２０のパスの識別情報が登録される。
【手続補正５】
【補正対象書類名】明細書
【補正対象項目名】００７５
【補正方法】変更
【補正の内容】
【００７５】
ＭＰＬＳ−ＴＰ装置３００は、入力ＩＦ２５１に登録された識別情報によって識別されるインタフェースに、入力ラベル２５２に登録されたラベルが付与されたパケットが入力された場合、当該パケットのラベルを出力ラベル２５４に登録されたラベルに変換し、出力ＩＦ２５３に登録された識別情報によって識別されるインタフェースから出力する。
【手続補正６】
【補正対象書類名】明細書
【補正対象項目名】０１０７
【補正方法】変更
【補正の内容】
【０１０７】
集中制御サーバ１００のＯＡＭ処理部１４０は、ＲｅｐｌｙパケットをＩＰ／ＭＰＬＳルータ２００Ｂに送信するべく、ＲｅｐｌｙパケットをＭＰＬＳ−ＴＰ装置３００Ａに送信する（Ｓ１０３、図１２に示すＦ２０１）。この場合、ＯＡＭ処理部１４０は、ＯＡＭ処理データベース１４１を参照し、送信するＲｅｐｌｙパケットに挿入点アドレス１４５に登録されたＲｅｑｕｅｓｔパケットの挿入点のＩＰアドレス及びＩＰ／ＭＰＬＳ網パスＩＤ１４７に登録された識別情報を含める。Ｆ２０１の処理を実行する場合、ＯＡＭ処理部１４０は、ＯＡＭ処理実行テーブル１７０のＲｅｑｕｅｓｔパケットに設定されたインデックスと一致するエントリの処理内容１７２に処理１を登録する。
【手続補正７】
【補正対象書類名】明細書
【補正対象項目名】０１２６
【補正方法】変更
【補正の内容】
【０１２６】
Ｆ３０２の処理で、ＭＰＬＳ−ＴＰ装置３００ＡにＬＢ処理の実行を指示してから所定時間以内にＭＰＬＳ−ＴＰ装置３００ＡからＬＢ完了通知を受信したと判定された場合、ＯＡＭ処理部１４０は、図１３に示すＳ２０７の処理で説明したように、接続確認対象のＭＰＬＳ−ＴＰ網３０のパスの接続が確認できたので、ＲｅｐｌｙパケットをＩＰ／ＭＰＬＳルータ２００Ｂに送信するべく、ＲｅｐｌｙパケットをＭＰＬＳ−ＴＰ装置３００Ａに送信する（Ｆ３０３）。この場合、ＯＡＭ処理部１４０は、ＯＡＭ処理データベース１４１を参照し、送信するＲｅｐｌｙパケットに挿入点アドレス１４５に登録されたＲｅｑｕｅｓｔパケットの挿入点のＩＰアドレス及びＩＰ／ＭＰＬＳ網パスＩＤ１４７に登録された識別情報を含める。Ｆ３０３の処理を実行する場合、ＯＡＭ処理部１４０は、ＯＡＭ処理実行テーブル１７０のＲｅｑｕｅｓｔパケットに設定されたインデックスと一致するエントリの処理内容１７２に処理２を登録する。
【手続補正８】
【補正対象書類名】明細書
【補正対象項目名】０１３２
【補正方法】変更
【補正の内容】
【０１３２】
集中制御サーバ１００は、Ｓ３０５の処理で送信されたＬＢ完了通知を受信した場合、すなわち、接続確認対象のＭＰＬＳ−ＴＰ網３０のパスの接続が確認できた場合、当該ＭＰＬＳ−ＴＰ網３０のパスの終点となるＭＰＬＳ−ＴＰ装置３００Ｂから、当該ＭＰＬＳ−ＴＰ装置３００Ｂより後段の折り返し点となるＩＰ／ＭＰＬＳルータまでのＩＰ／ＭＰＬＳ網２０のパスの接続を確認する必要がある。このため、集中制御サーバ１００は、ＭＰＬＳ−ＴＰ装置３００Ａから送信されたＲｅｑｕｅｓｔパケットをＭＰＬＳ−ＴＰ装置３００Ｂに送信する（Ｓ３０８）。
【手続補正９】
【補正対象書類名】明細書
【補正対象項目名】０１３７
【補正方法】変更
【補正の内容】
【０１３７】
ＭＰＬＳ−ＴＰ装置３００Ａは、Ｓ３１２の処理で集中制御サーバ１００によって送信されたＲｅｐｌｙパケットを受信した場合、受信したＲｅｐｌｙパケットをＩＰ／ＭＰＬＳルータ２００Ｂに送信する（Ｓ３１３）。
【手続補正１０】
【補正対象書類名】明細書
【補正対象項目名】０１４４
【補正方法】変更
【補正の内容】
【０１４４】
Ｆ４０４の処理でＲｅｐｌｙパケットを所定時間内に受信したとＦ４０５の処理で判定された場合、ＯＡＭ処理部１４０は、ＭＰＬＳ−ＴＰ装置３００Ａに受信したＲｅｐｌｙパケットを送信する（Ｆ４０６）。この場合、ＯＡＭ処理部１４０は、ＯＡＭ処理データベース１４１を参照し、送信するＲｅｐｌｙパケットに挿入点アドレス１４５に登録されたＲｅｑｕｅｓｔパケットの挿入点のＩＰアドレス及びＩＰ／ＭＰＬＳ網パスＩＤ１４７に登録された識別情報を含める。Ｆ４０６の処理を実行する場合、ＯＡＭ処理部１４０は、ＯＡＭ処理実行テーブル１７０のＲｅｑｕｅｓｔパケットに設定されたインデックスと一致するエントリの処理内容１７２に処理４を登録する。
【手続補正１１】
【補正対象書類名】明細書
【補正対象項目名】０１７０
【補正方法】変更
【補正の内容】
【０１７０】
本実施形態の図１９に示す第３プロファイルに規定される処理は、第１実施形態の図１６に示すＦ４０１及びＦ４０２の処理を実行せず、Ｆ４０３の処理の代わりにＦ６０１の処理を実行する。また、本実施形態の図１９に示すＦ６０２〜Ｆ６０５の処理は、それぞれ、第１実施形態の図１６に示すＦ４０４〜Ｆ４０７の処理と同じである。